(57)【要約】  本発明は、液体添加剤の供給装置（１）を加熱する方法に関する。供給装置（１）は、少なくとも１つのポンプ（２）を備え、ポンプ（２）は、少なくとも１つのポンプ室（３）と少なくとも１つのポンプ室可動壁（５）とを備え、ポンプ室可動壁（５）は、液体添加剤の送出のために変位する。本発明の方法では、少なくとも１つのアクチュエータ（６）により振動（２５）が発生され、当該振動（２５）がポンプ室可動壁（５）へ伝達され、ポンプ室可動壁（５）において熱へ変換される。
2016507033.tif 000002
【特許請求の範囲】
【請求項１】
液体添加剤の供給装置（１）を加熱する方法であって、
前記供給装置（１）は、少なくとも１つのポンプ（２）を備え、
前記ポンプ（２）は、少なくとも１つのポンプ室（３）と少なくとも１つのポンプ室可動壁（５）とを備え、
前記ポンプ室可動壁（５）は、前記液体添加剤の送出のために変位する、方法において、
該方法は、少なくとも、
ａ）少なくとも１つのアクチュエータ（６）により振動（２５）を発生させるステップと、
ｂ）前記振動（２５）を前記ポンプ室可動壁（５）へ伝達させるステップと、
ｃ）前記振動（２５）を前記ポンプ室可動壁（５）において熱へ変換するステップと
を含む
ことを特徴とする方法。
【請求項２】
前記ステップｂ）において前記ポンプ室可動壁（５）が振動（２５）している間は、前記液体添加剤の送出は生じない、
請求項１記載の方法。
【請求項３】
前記ステップｃ）において、前記振動（２５）の結果として前記ポンプ室可動壁（５）の圧縮を規則的な反復の仕方で発生させ、前記圧縮の結果として前記振動（２５）を熱へ変換する、
請求項１又は２記載の方法。
【請求項４】
前記ステップｃ）において、前記振動（２５）の結果として前記ポンプ室可動壁（５）の変形を規則的な反復特性で生じさせ、前記変形の結果として前記振動（２５）を熱へ変換する、
請求項１から３までのいずれか１項記載の方法。
【請求項５】
前記ポンプ（２）は、ポンプ室閉鎖容積部（４）を有する少なくとも１つのポンプ室（３）を有しており、前記ポンプ室閉鎖容積部（４）は、前記液体添加剤の送出のためにサイズの点で規則的に増減される、
請求項１から４までのいずれか１項記載の方法。
【請求項６】
前記ポンプ（２）は、ポンプ室閉鎖容積部（４）を有する少なくとも１つのポンプ室（３）を有しており、前記ポンプ室閉鎖容積部（４）は、前記液体添加剤の送出のために連続的に移動される、
請求項１から５までのいずれか１項記載の方法。
【請求項７】
前記ポンプ室可動壁（５）は、はめ込み部材（８）を備えた変形可能なダイヤフラム（７）を含み、
前記はめ込み部材（８）は、前記振動（２５）を熱へ変換するように構成されている、
請求項１から６までのいずれか１項記載の方法。
【請求項８】
前記ポンプ室可動壁（５）は前記アクチュエータ（６）から熱分離されている、
請求項１から７までのいずれか１項記載の方法。
【請求項９】
液体添加剤の供給装置（１）であって、
前記供給装置（１）は、ポンプ（２）を備え、
前記ポンプ（２）は、ポンプ室（３）とポンプ室可動壁（５）とを備え、
前記ポンプ室可動壁（５）は、前記液体添加剤の送出のために少なくとも部分的に変位し、
前記供給装置（１）は、請求項１から８までのいずれか１項記載の方法を実行するように構成されている、
ことを特徴とする供給装置（１）。
【請求項１０】
内燃機関（１１）を備えた自動車（１０）であって、
前記内燃機関（１１）の排気ガスを浄化する排気ガス処理装置（１２）と、
請求項９記載の供給装置（１）と
を備え、
前記供給装置（１）によって液体添加剤を前記排気ガス処理装置（１２）へ供給する
ことを特徴とする自動車（１０）。
【発明の詳細な説明】
【技術分野】
【０００１】
本発明は、液体添加剤の供給装置を加熱する方法に関する。液体添加剤の供給装置は、例えば、自動車分野において、内燃機関の排気ガス処理装置に液体添加剤を供給するために用いられる。排気ガス処理装置は、液体添加剤を補助的に利用して排気ガス中に含まれる窒素酸化物を還元するために、広汎に用いられている。本発明の供給装置はこうしたタイプの排気ガス処理装置に利用可能である。
【０００２】
こうした排気ガス処理装置においてとりわけ広く利用されている排気ガス浄化方法は、選択的触媒還元法（ＳＣＲプロセス）である。当該プロセスでは、窒素酸化物を還元する還元剤としてアンモニアがしばしば用いられる。アンモニアは、排気ガス処理装置において、尿素水溶液から得られる。ここで、尿素水溶液は、（熱的に）熱分解によって、及び／又は、（加水分解触媒コンバータを補助的に用いた）加水分解によって、アンモニアへ変換される。尿素水溶液は、上述した供給装置により、液体添加剤として排気ガス処理装置へ供給される。相応の尿素水溶液は、例えば、尿素含有量３２．５％の販売名ＡｄＢｌｕｅ（登録商標）として入手可能である。
【０００３】
液体添加剤の供給装置での問題は、上述した添加剤（例えば上述した尿素水溶液）が低温で凍結しうるということである。上述した尿素水溶液は例えば−１１℃で凍結する。自動車分野では、この程度の低温は例えば冬期に長時間停車していれば生じうる。このため、液体添加剤の供給装置にはしばしばヒータが設けられる。ヒータを用いて、供給装置で凍結した液体添加剤を溶かすか又は添加剤の凍結を回避乃至遅延させるのである。ヒータは通常、電力によって作動される。また、加熱流体が加熱回路を流れる形式の流体ヒータも知られている。加熱回路では、典型的には、内燃機関の（加熱された）冷却水が加熱流体として用いられる。
【０００４】
こうしたヒータでの問題は、凍結した添加剤の直接近傍に熱が導入されない場合が多く、このため、ヒータから添加剤へ熱を伝導させる特別な手段が要求されるということである。ただし、こうした熱伝導手段は、供給装置に組み込むことが不可能であるか又は困難である。しかも、こうした手段を用いても、ヒータによって形成される熱は、ふつう時間遅延を経るので、液体添加剤へ届くまでに失われてしまう。また、供給装置内で典型的に液体添加剤に接触している材料は、熱伝導性が低く、したがって、ヒータと液体添加剤との間の熱絶縁体として作用することがしばしばである。液体添加剤として尿素水溶液が用いられる場合、当該材料は、例えば耐尿素性を有する特殊なプラスティックである。こうした材料は熱伝導手段の設置を困難にする。
【０００５】
これらのことから出発して、本発明の課題は、従来技術に関連して説明した技術的問題を解消するか又は少なくとも軽減することである。特に、液体添加剤の供給装置を加熱する特に有利な方法を示すことを目指している。
【０００６】
上記課題は、請求項１記載の特徴を有する本発明の方法により解決される。本発明の方法の有利な実施形態は従属請求項に記載されている。特許請求の範囲に個々に記載されている特徴は、本発明のさらなる実施形態によって、所望の有意な技術的手法で任意に組み合わせ可能であり、また、発明の詳細な説明に示されている例示的要素によって任意に補完可能である。
【０００７】
本発明は、液体添加剤の供給装置を加熱する方法であって、供給装置が少なくとも１つのポンプを備え、ポンプが少なくとも１つのポンプ室と少なくとも１つのポンプ室可動壁とを備え、ポンプ室可動壁が液体添加剤の送出のために変形乃至変位される方法に関する。本発明は、少なくとも、
ａ）少なくとも１つのアクチュエータにより振動を発生させるステップと、
ｂ）振動をポンプ室可動壁へ伝達させるステップと、
ｃ）振動をポンプ室可動壁において熱へ変換するステップと
を含む。
【０００８】
液体添加剤の供給装置は、液体添加剤を、例えば吸引点で、当該液体添加剤が貯蔵されているタンクから取り出す。液体添加剤は、吸引点から、供給装置の供給ダクトに沿って、供給方向でラインコネクタへ送出される。当該供給装置によってラインコネクタの位置で液体添加剤が供給される。ラインコネクタまでは供給装置へいたる供給管路が接続されている。供給装置は排気ガス処理装置に配置されており、液体添加剤は供給装置によって排気ガス処理装置へ供給される。
【０００９】
送出のために、供給装置は少なくとも１つのポンプを含む。ポンプは、好ましくは、供給ダクトに組み込まれている。少なくとも１つのポンプ室は、（好ましくは単独の）ポンプ室可動壁の運動によって変形される。液体添加剤の送出は、こうした変形の結果として行われる。ポンプ室可動壁の運動を駆動するために、供給装置又はポンプは、好ましくは少なくとも１つのアクチュエータを含む。当該アクチュエータは、例えば、電磁駆動機構によって作動される。アクチュエータは例えばロータリドライブ及び／又はリニアドライブを含んでいてよい。また、アクチュエータは、その運動をポンプ室可動壁へ伝達する伝達手段を備える。伝達手段は、好ましくは、アクチュエータが線形運動又は回転運動のいずれを行うかに依存して、及び、ポンプ室可動壁が線形運動又は回転運動のいずれによって駆動されるかに依存して、線形運動を回転運動へ変換するか又は回転運動を線形運動へ変換する。伝達手段は、例えば、相応の運動の変換のために、コネクティングロッド、カム、カムシャフトもしくはカムディスクを含む。
【００１０】
ステップａで生じた振動は、主に供給装置のアクチュエータが迅速に前後に運動することによって特徴づけられる。振動は、液体添加剤の送出を実行する際の運動などの、アクチュエータの正規の運動を含まない。この振動の最大偏向は、通常の送出過程中のアクチュエータの運動の最大偏向の例えば５％未満であり、好ましくは２％未満、特に好ましくは１％未満である。これに関して、ポンプ室可動壁がポンプ室内で凍結した液体添加剤により阻止されることを考慮すべきである。したがって、大きな偏向は生じない。当該偏向は、振幅、ストローク量などとも称される。振動は、好ましくは、特に高い周波数を有する。振動中、アクチュエータは、特には少なくとも２００Ｈｚ（１Ｈｚ＝毎秒１サイクル）で前後に運動する。アクチュエータは、好ましくは、少なくとも１０００Ｈｚ又は少なくとも５０００Ｈｚで前後に運動する。ポンプ室可動壁への振動の伝達は、ステップｂにおいて、好ましくは通常の送出運動の伝達と全く同様に行われる。このために、上述した伝達手段が例えば供給装置内又は供給装置のポンプ内に設けられる。振動は、この振動によって伝達される力に関連して、振動振幅及び振動周波数によって求められる機械力を有する。当該機械力は、時間に依存してポンプ室可動壁に作用する機械的エネルギである。こうした機械力がステップｃで熱エネルギに変換される。ポンプ室可動壁の剛性は、生じる熱の重要な要素である。ポンプ室可動壁の剛性は、力と振幅との関係に大きく影響する。ポンプ室可動壁に作用する力は、振幅と剛性との積である。振動の１サイクル中に生じる熱エネルギは、次掲の式によって求められる。ここで、振動の１サイクルとは、ポンプ室可動壁が弛緩性の開始位置から振幅の点で開始位置と異なる偏向位置へ運動する１回の運動である。
Ｅheat＝１／２・（Ｋstiffness）・ｘ２amplitude
【００１１】
ポンプ室可動壁は、ポンプ室内で液体添加剤に直接に接触している。したがって、ポンプ室可動壁で生じる熱は特に迅速に液体添加剤へ移動するはずである。しかし、ポンプ室可動壁はしばしば熱絶縁作用を有する材料から形成されているため、ポンプ室可動壁を介して熱エネルギを外部からポンプ室内へ伝導させるのは困難である。よって、特に有利には、上述した方法を用いて、ポンプ室可動壁に直接に熱を生じさせる。添加剤がポンプ室内で凍結している場合、ポンプ室可動壁に形成された熱は、まず、ポンプ室可動壁に直接に接触している添加剤を溶かす。溶けた液体添加剤は凍結した添加剤よりも良好な熱伝導率を有するので、ポンプ室可動壁から液体添加剤への熱伝導性が増大する。また、ポンプ室可動壁に直接に接触している液体添加剤により、ポンプ室可動壁の潜在的振幅が増大する。大きな振幅が可能である場合、ポンプ室可動壁に導入されて熱エネルギに変換される力も大きくなる。
【００１２】
この方法は、ステップｂで、ポンプ室可動壁の振動中に液体添加剤が送出されない場合に、特に有利である。
【００１３】
振動の周波数は、例えば、ポンプ室内の液体添加剤が振動によって送出されてしまわない大きさに選定される。これに加えて及び／又はこれに代えて、振動の振幅が、ポンプ室内の液体添加剤が振動によって送出されてしまわないよう、小さく選定されてもよい。液体添加剤は振動に対する反応が不活性なので、こうした効果が生じる。当該不活性の挙動は、液体添加剤の重量及び粘性によって定まる。ただし、いずれの場合にも、振動によっては、所定量の液体添加剤が供給方向に沿った前後の往復運動を行うのみである。つまり、全体としては、振動期間中の全体にわたって、液体添加剤は送出されない（特にラインコネクタへの添加剤送出がない）。ポンプ内の添加剤が完全に凍結している場合には、凍結した液体添加剤によってポンプが阻止されるため、液体添加剤の送出は全く行われない。
【００１４】
実質的には液体添加剤の供給が行われないので、上述した方法は装置の加熱（のみ）に利用される。このことは、例えば、装置の動作開始のプロシージャにおいて、装置内の凍結した液体添加剤を溶かす場合に有利である。
【００１５】
この方法は、さらに、ステップｃにおいて、振動の結果として、ポンプ室可動壁の圧縮が規則的に反復して生じ、この圧縮の結果、振動が熱へ変換される場合に有利である。
【００１６】
ポンプ室可動壁の圧縮（スクイーズ）中、ポンプ室可動壁は、全く変位しないか又は僅かしか変位しない。その代わり、ポンプ室可動壁の（内側の）容積部が変化する。ポンプ室可動壁が圧縮されるのみである場合、液体添加剤が振動によって送出されるのを容易に回避できる。なぜなら、振動は実際にはポンプ室容積部に作用せず、ポンプ室可動壁内で完全に補償されているからである。当該補償は、ポンプ室可動壁での内部摩擦によって熱へ変換される。
【００１７】
本発明の方法はさらに、ステップｃで、振動の結果として、ポンプ室可動壁の変形が規則的に反復して生じ、振動が変形の結果として熱へ変換される場合に有利である。
【００１８】
ポンプ室可動壁の変形は、特には、ポンプ室可動壁の偏向を含む。ポンプ室可動壁の偏向及び／又は変形中、ポンプ室可動壁は、ポンプ室容積部にごく小さな変化しか生じないように変位する。当該変化は、好ましくは、液体添加剤の送出が全く行われないか又は行われてもごく僅かなものとなる程度に小さいものである。偏向及び／又は変形中、特には撓みモーメントがポンプ室可動壁に発生し、この撓みモーメントによるポンプ室可動壁での内部摩擦から熱が発生する。偏向及び／又は変形を用いた振動からの熱の発生は、仮想的にはあらゆる可撓性材料にとって可能である。したがって、振動が偏向及び／又は変形により熱へ変換される場合、ポンプ室可動壁の構成に特に大きな自由度が得られる。
【００１９】
本発明の方法は、さらに、ポンプがポンプ室閉鎖容積部を有する少なくとも１つのポンプ室を有し、閉鎖容積部が液体添加剤の送出のためにサイズの点で規則的に増減する場合に有利である。
【００２０】
閉鎖容積部が液体添加剤の送出のためにサイズの点で規則的に増減するポンプとは、典型的には、ピストンポンプ又はダイヤフラムポンプである。こうしたタイプのポンプが使用される場合、供給装置の供給ダクトは典型的には流入口からポンプ室内へ導入され、流出口から再び放出される。流入口及び流出口は弁によって閉鎖されている。弁は典型的には一方向のみに開放される。弁の開放方向はポンプの供給方向を規定している。ポンプ室可動壁に熱を発生させるための上述した振動過程中、ポンプ室可動壁は、好ましくは、ポンプ室容積部に変化を全く生じさせないくらい、又は、液体添加剤が流入口からポンプ室内へ流入せずかつ流出口からポンプ室外へ流出しない程度の、ポンプ室容積部の小さな変化しか生じさせないくらいに、高速に運動する。ポンプがサイズの点で規則的に増減する容積部を有する場合、線形の振動が特に効率的に熱へ変換される。
【００２１】
また、本発明の方法では、ポンプが、ポンプ室閉鎖容積部を有する少なくとも１つのポンプ室を有し、この閉鎖容積部が液体添加剤の送出のために連続的に移動されると有利である。
【００２２】
こうしたタイプのポンプでは、例えば、封止点がポンプ室内の供給方向に沿って移動する。封止点はポンプ室の始点に形成されており、ポンプ室を通って供給方向に沿って移動し、その後、ポンプ室の終点で消滅する。こうした複数の封止点は特には同時に形成される。ポンプ室閉鎖容積部は、いずれの場合においても、個々の封止点間に存在する。こうしたタイプのポンプでは、振動は、例えば、各封止点の迅速な前後運動の形態で実現される。後方への運動中の液体添加剤の戻り量がつねに前方への運動中の液体添加剤の供給量に等しいので、振動による液体添加剤の送出は起こりえない。
【００２３】
このタイプのポンプはぜん動性ポンプである。ぜん動性ポンプは、ポンプ室を形成し、部分的に偏心機構によって圧縮されるホースによって実現される。ホースの圧縮点は封止点を形成する。また、封止点を形成するために、このタイプのポンプを、偏心機構によって部分的に変形されるダイヤフラムによって実現することもできる。このタイプのポンプでは、一般に、比較的厚い可撓性材料がポンプ室可動壁として要求される。こうした厚い可撓性材料はふつう特に低い熱伝導性を有するので、熱絶縁部として作用する。よって、このタイプのポンプでは、上述した方法によってポンプ室を加熱するための熱をポンプ室可動壁に生じさせると有利である。
【００２４】
本発明の方法は、ポンプ室可動壁が、振動を熱に変換するように構成されたはめ込み部材を含むダイヤフラムを備えていると特に有利である。
【００２５】
ポンプ室可動壁がはめ込み部材を含むダイヤフラムを備えている場合、特に所望に沿った形式で、このダイヤフラムに熱を生じさせることができる。ダイヤフラムは好ましくははめ込み部材をはめ込んだマトリクス材料を有する。ここで、マトリクス材料は、特に良好な可撓性を有するように構成されることが好ましい。はめ込み部材は変形によって熱を形成する。
【００２６】
本発明の方法ではさらに、ポンプ室可動壁がアクチュエータから熱的に分離されていると有利である。
【００２７】
このタイプの熱分離は、例えば、アクチュエータとポンプ室可動壁との間に形成される熱絶縁部によって実現される。当該熱絶縁部は伝達手段の一部である。熱分離により、ポンプ室可動壁において生じた熱を特に所望に沿った手段で液体添加剤へ導入でき、損失熱として外部へ放出されない。また、アクチュエータ及びその駆動部の加熱も回避される。特に、電気駆動機構のコイルの電気抵抗が温度に依存して変化する場合、ふつう、電気駆動機構の効率は温度が低いほど高くなるので、アクチュエータ及びその駆動部の効率も高まる。
【００２８】
アクチュエータは、好ましくは、アクチュエータ及びその駆動部そのものが著しく（例えば通常の送出動作に比べて強く）加熱されることなく、本発明の方法に必要な振動を形成できるように構成されている。アクチュエータの加熱は駆動機構の出力損失によって生じるので、駆動機構の効率に依存して変化する。振動によってダイヤフラムに生じる熱量（熱出力）は、特には、駆動機構の出力損失より大きく、例えばその少なくとも２倍もしくはその５倍となる。
【００２９】
本発明は、さらには液体添加剤の供給装置に関する。当該供給装置は、ポンプを備え、このポンプはポンプ室とポンプ室可動壁とを備えている。ポンプ室可動壁は、液体添加剤の送出のために少なくとも部分的に変位する。当該供給装置は、上述した本発明の方法を実行するように構成されている。当該供給装置は、方法発明に関連して上述した全ての特徴及び実施形態及び利点を有する。
【００３０】
本発明は、特に、内燃機関を備えた自動車において有利に使用される。自動車は内燃機関の排気ガスを浄化する排気ガス処理装置と上述した供給装置とを備えており、当該供給装置によって液体添加剤が排気ガス処理装置へ供給される。このようにして、本発明の方法が実行される。
【００３１】
本発明及び技術分野を図に即して以下に詳細に説明する。図には特に有利な実施形態が示されているが、各実施形態は本発明を限定するものでない。図及びそこに示されている要素の相互関係は模式的なものであることに注意されたい。
【図面の簡単な説明】
【００３２】
【図１】上述した供給装置を示す概略図である。
【図２】第１の実施形態のポンプの第１の状態を示す概略図である。
【図３】第１の実施形態のポンプの第２の状態を示す概略図である。
【図４】第２の実施形態のポンプを示す概略図である。
【図５】上述した供給装置を備えた自動車を示す図である。
【００３３】
図１には、液体添加剤を吸入点１９でタンクから吸入して送出する供給装置１が示されている。供給ダクト２１は吸入点１９から出て供給方向２０で供給装置１を介してラインコネクタ２２まで延在しており、このラインコネクタ２２で液体添加剤が供給される。供給装置１は、供給ダクト２１に組み込まれたポンプ２を備えている。供給ダクト２１は流入口点３１でポンプ２のポンプ室３へ引き入れられており、流出口点３２でポンプ室３から引き出されている。流入口点３１及び流出口点３２は、それぞれ弁２３によって閉鎖され、供給ダクト２１によって供給方向２０を規定している。
【００３４】
ポンプ室３は、ポンプ室容積部４とポンプ室可動壁５とを有する。ポンプ室可動壁５は可動であり、これによりポンプ室容積部４の大きさを増減することができる。液体添加剤の送出は、ポンプ室容積部４の大きさの増減の結果として生じる。図１の供給装置では、ポンプ室可動壁５はダイヤフラム７によって形成されている。図１では、はめ込み部材８がダイヤフラム７内に形成されており、このはめ込み部材８によってダイヤフラム７又はポンプ室可動壁５の振動が熱へ変換される。
【００３５】
ポンプ室可動壁５を運動させるために、供給装置１はアクチュエータ６を有しており、このアクチュエータ６の運動が伝達手段１４によってダイヤフラム７へ伝達される。アクチュエータ６は、例えば、電磁駆動機構９によって駆動されてガイド部１５内を往復運動するピストンである。
【００３６】
図２，図３には、ポンプ２内で振動２５が発生しうる異なる２つの状態が示されている。図２，図３のどちらのケースでも、アクチュエータ６，ポンプ室３，ポンプ室容積部４及びポンプ室可動壁５が設けられていることがわかる。ポンプ室可動壁５はどちらのケースでもダイヤフラム７によって形成されている。振動２５は矢印によって表されている。図２からは、ポンプ室可動壁５が少なくとも部分的に撓み２８によって変位することが見て取れる。撓み２８の結果としてポンプ室容積部４が変化し、ポンプ室可動壁５の変形が変形領域２７で発生する。このようにしてポンプ室可動壁５において熱が発生する。図３では、圧縮２９が生じてポンプ室可動壁５の内側又はダイヤフラム７の内側の容積部が変化するが、ポンプ室容積部４の変化は起こっていない。しかし、図３のような圧縮２９の場合にも変形領域２７での変形は発生するので、ダイヤフラム７において熱が生じる。
【００３７】
図４には、本発明の方法に対する供給装置の別のポンプ２が示されている。当該ポンプ２では、ポンプ室３は少なくとも部分的に円弧状であるが、上述したケースと同様にポンプ室可動壁５を有する。ポンプ室可動壁５は例えばホース２６によって形成される。ポンプ室可動壁５は他の材料、例えば比較的厚いダイヤフラムによって形成することもできる。ポンプ室可動壁５は、少なくとも部分的にアクチュエータ６によって変形され、これにより少なくとも１つの封止点３０が形成される。ポンプ２の動作中、封止点３０が規則的な間隔でポンプ室３の流入口点３１に形成され、その後、ポンプ２によって、供給方向２０に沿って流出口点３２の方へ移動して、そこで消滅する。このために、アクチュエータ６は、アクチュエータ６又はその駆動部とポンプ室可動壁５との間の伝達手段１４として、少なくとも１つのカム３３を有する。少なくとも１つのカム３３は、ポンプ室可動壁５を変形させることで封止点３０を形成する。ポンプ室閉鎖容積部は２つの封止点３０間に形成される。こうして、アクチュエータ６の運動の結果、封止点３０が移動し、これによりポンプ室閉鎖容積部が移動していく。
【００３８】
上述した方法が図４のポンプ２で行われる場合、アクチュエータ６は小さな振動回転運動を前後方向に行う。この場合、前進運動中に送出される液体添加剤量は後進運動で直ちに引き込まれるので、液体添加剤の送出は生じない。ただし、ポンプ室可動壁５の変形の結果、所望の形式で熱が形成される。図４に示されている動作方式は、本明細書の主要部において説明した手段であり、ぜん動方式で作用するポンプであればどのような形状のポンプに対しても適用可能である。当該ポンプの重要な特徴は、媒体送出のためにポンプ室可動壁が変形するということである。ここで、特に好ましくは、ポンプ室可動壁の動作中の変形が、ポンプ室可動壁の全体にわたって均等に分散される。これにより、熱を大面積でポンプ室内へ導入することができる。
【００３９】
図５には、内燃機関１１と、この内燃機関１１の排気ガスを浄化するための排気ガス処理装置１２とを備えた自動車１０が示されている。排気ガス処理装置１２にはＳＣＲ触媒コンバータ１７が設けられており、この触媒コンバータ１７によって内燃機関１１の排気ガスが選択的触媒還元プロセスＳＣＲにより浄化される。選択的触媒還元プロセスを実行するために、液体添加剤がインジェクタ１８を介して排気ガス処理装置１２へ供給される。液体添加剤はタンク１３に貯蔵されており、供給装置１によってタンク１３から取り出され、供給管路２４を介してインジェクタ１８へ供給される。自動車１０はさらに、上述した方法の実行を制御する制御ユニット１６を備えている。
【００４０】
上述した方法により、付加的なヒータを供給装置内に設ける必要なく、液体添加剤の供給装置を特に簡単かつ低コストに加熱することができる。また、この熱を、特に所望の形態で液体添加剤へ加えることができる。
【符号の説明】
【００４１】
１  供給装置、  ２  ポンプ、  ３  ポンプ室、  ４  ポンプ室容積部、  ５  ポンプ室可動壁、  ６  アクチュエータ、  ７  ダイヤフラム、  ８  はめ込み部材、  ９  電磁駆動機構、  １０  自動車、  １１  内燃機関、  １２  排気ガス処理装置、  １３  タンク、  １４  伝達手段、  １５  ガイド部、  １６  制御ユニット、  １７  ＳＣＲ触媒コンバータ、  １８  インジェクタ、  １９  吸入点、  ２０  供給方向、  ２１  供給ダクト、  ２２  ラインコネクタ、  ２３  弁、  ２４  供給管路、  ２５  振動、  ２６  ホース、  ２７  変形領域、  ２８  撓み、  ２９  圧縮、  ３０  封止点、  ３１  流入口点、  ３２  流出口点、  ３３  カム
【図１】
2016507033.tif 000003
【図２】
2016507033.tif 000004
【図３】
2016507033.tif 000005
【図４】
2016507033.tif 000006
【図５】
2016507033.tif 000007
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
液体添加剤の供給装置（１）を加熱する方法であって、
前記供給装置（１）は、少なくとも１つのポンプ（２）を備え、
前記ポンプ（２）は、少なくとも１つのポンプ室（３）と少なくとも１つのポンプ室可動壁（５）とを備え、
前記ポンプ室可動壁（５）は、前記液体添加剤の送出のために変位する、方法において、
該方法は、少なくとも、
ａ）少なくとも１つのアクチュエータ（６）により振動（２５）を発生させるステップと、
ｂ）前記振動（２５）を前記ポンプ室可動壁（５）へ伝達させるステップと、
ｃ）前記振動（２５）を前記ポンプ室可動壁（５）において熱へ変換するステップと
を含む
ことを特徴とする方法。
【請求項２】
前記ステップｂ）において前記ポンプ室可動壁（５）が振動（２５）している間は、前記液体添加剤の送出は生じない、
請求項１記載の方法。
【請求項３】
前記ステップｃ）において、前記振動（２５）の結果として前記ポンプ室可動壁（５）の圧縮を規則的な反復の仕方で発生させ、前記圧縮の結果として前記振動（２５）を熱へ変換する、
請求項１又は２記載の方法。
【請求項４】
前記ステップｃ）において、前記振動（２５）の結果として前記ポンプ室可動壁（５）の変形を規則的な反復特性で生じさせ、前記変形の結果として前記振動（２５）を熱へ変換する、
請求項１から３までのいずれか１項記載の方法。
【請求項５】
前記ポンプ（２）は、ポンプ室閉鎖容積部（４）を有する少なくとも１つのポンプ室（３）を有しており、前記ポンプ室閉鎖容積部（４）は、前記液体添加剤の送出のためにサイズの点で規則的に増減される、
請求項１から４までのいずれか１項記載の方法。
【請求項６】
前記ポンプ（２）は、ポンプ室閉鎖容積部（４）を有する少なくとも１つのポンプ室（３）を有しており、前記ポンプ室閉鎖容積部（４）は、前記液体添加剤の送出のために連続的に移動される、
請求項１から５までのいずれか１項記載の方法。
【請求項７】
前記ポンプ室可動壁（５）は、はめ込み部材（８）を備えた変形可能なダイヤフラム（７）を含み、
前記はめ込み部材（８）は、前記振動（２５）を熱へ変換するように構成されている、
請求項１から６までのいずれか１項記載の方法。
【請求項８】
前記ポンプ室可動壁（５）は前記アクチュエータ（６）から熱分離されている、
請求項１から７までのいずれか１項記載の方法。
【請求項９】
液体添加剤の供給装置（１）であって、
前記供給装置（１）は、ポンプ（２）を備え、
前記ポンプ（２）は、ポンプ室（３）とポンプ室可動壁（５）とアクチュエータ（６）とを備え、
前記ポンプ室可動壁（５）は、前記液体添加剤の送出のために少なくとも部分的に変位する供給装置（１）において、
ａ）前記アクチュエータ（６）により振動（２５）を発生させ、
ｂ）前記振動（２５）を前記ポンプ室可動壁（５）へ伝達させ、
ｃ）前記振動（２５）を前記ポンプ室可動壁（５）において熱へ変換する、
ことを特徴とする供給装置（１）。
【請求項１０】
前記ポンプ室可動壁（５）が振動（２５）している間は、前記液体添加剤の送出は生じない、
請求項９記載の供給装置（１）。
【請求項１１】
前記振動（２５）の結果として前記ポンプ室可動壁（５）の圧縮を規則的な反復の仕方で発生させ、前記圧縮の結果として前記振動（２５）を熱へ変換する、
請求項９又は１０記載の供給装置（１）。
【請求項１２】
前記振動（２５）の結果として前記ポンプ室可動壁（５）の変形を規則的な反復特性で生じさせ、前記変形の結果として前記振動（２５）を熱へ変換する、
請求項９から１１までのいずれか１項記載の供給装置（１）。
【請求項１３】
前記ポンプ（２）は、ポンプ室閉鎖容積部（４）を有する少なくとも１つのポンプ室（３）を有しており、前記ポンプ室閉鎖容積部（４）は、前記液体添加剤の送出のためにサイズの点で規則的に増減される、
請求項９から１２までのいずれか１項記載の供給装置（１）。
【請求項１４】
前記ポンプ（２）は、ポンプ室閉鎖容積部（４）を有する少なくとも１つのポンプ室（３）を有しており、前記ポンプ室閉鎖容積部（４）は、前記液体添加剤の送出のために連続的に移動される、
請求項９から１３までのいずれか１項記載の供給装置（１）。
【請求項１５】
前記ポンプ室可動壁（５）は、はめ込み部材（８）を備えた変形可能なダイヤフラム（７）を含み、
前記はめ込み部材（８）は、前記振動（２５）を熱へ変換するように構成されている、
請求項９から１４までのいずれか１項記載の供給装置（１）。
【請求項１６】
前記ポンプ室可動壁（５）は前記アクチュエータ（６）から熱分離されている、
請求項９から１５までのいずれか１項記載の供給装置（１）。
【請求項１７】
内燃機関（１１）を備えた自動車（１０）であって、
前記内燃機関（１１）の排気ガスを浄化する排気ガス処理装置（１２）と、
請求項９から１６までのいずれか１項記載の供給装置（１）と
を備え、
前記供給装置（１）によって液体添加剤を前記排気ガス処理装置（１２）へ供給する
ことを特徴とする自動車（１０）。
【国際調査報告】
2016507033.tif 000008
2016507033.tif 000009